(57)【要約】【課題】利用者による出水量制御可能な流量制御装置を提供する。【解決手段】本考案は特にアルカリイオン整水器に取り付けて、利用者に出水量制御を提供する流量制御装置である。該アルカリイオン整水器はケーシング体１を設け、該ケーシング体１内部に濾過タンク１１を設け、該濾過タンク１１は電解殺菌タンク１２に接続し、該電解殺菌タンク１２はさらに電解タンク１３に接続する。該ケーシング体１外部に、濾過、殺菌及び電解処理後の水を排出するための出水管１４を設け、該電解タンク１３と出水管１４との間に流量装置２を設け、該ケーシング体１に制御装置３を設け、利用者は該流量制御装置を制御することにより、出水管１４からの出水量を利用者の需要に合わせることができる。【選択図】図１
0003147489.tif 000002
【実用新案登録請求の範囲】
【請求項１】
流量制御装置は、アルカリイオン整水器に取付け、利用者による出水量制御可能な制御装置であって、該アルカリイオン整水器はケーシング体を設け、該ケーシング体内部に水の不純物を濾過するための濾過タンクを設け、該濾過タンクは水を殺菌するための電解殺菌タンクを設け、該電解殺菌タンクは水を酸アルカリ電解するための電解タンクに接続し、該ケーシング体外部に濾過、殺菌及び電解処理後の水を排出するための出水管を設け、
該ケーシング体内部はさらに、水流量を計量するための流量装置を設け、該流量装置は電解タンクと出水管にそれぞれ接続し、ケーシング体に制御装置を設け、該制御装置は流量装置と電気接続し、利用者が制御装置より該流量装置を制御することにより、出水管の出水量を利用者の需要に応える長所を有することを特徴とする、流量制御装置。
【請求項２】
該制御装置は、機械方式の制御装置であることを特徴とする、請求項１に記載の流量制御装置。
【請求項３】
該制御装置は、タッチ方式の制御装置であることを特徴とする、請求項１に記載の流量制御装置。
【請求項４】
該制御装置は、押しボタン方式の制御装置であることを特徴とする、請求項１に記載の流量制御装置。
【請求項５】
該出水管の外部はさらに、磁気化装置を設けることを特徴とする、請求項１に記載の流量制御装置。
【考案の詳細な説明】
【技術分野】
【０００１】
本考案は特に一種のアルカリイオン整水器に取り付け、利用者による出水量制御可能な流量制御装置に関するものである。
【背景技術】
【０００２】
一般の市販のアルカリイオン整水器は、タイマーと水量測定装置が設けられていない。このため、利用者は取水のときに、貯水タンクが満杯の水位又は利用者の必要水量になるまで、整水器のそばでじっと待たなければならない。利用者がそばにいないか、又はその場から離れると、水が貯水タンクからあふれて、浪費になりかねない。さらに、整水器内部のフィルタ芯と電解タンクはともに一定の寿命がある。よって、水資源を浪費した分だけ、フィルタ芯と電解タンクの使用寿命が短縮される。
【考案の開示】
【考案が解決しようとする課題】
【０００３】
そこで、本考案の主な目的は、利用者からアルカリイオン整水器の出水量を設定でき、使用が便利で、かつ、アルカリイオン整水器の使用寿命を増強する流量制御装置を提供することにある。
【課題を解決するための手段】
【０００４】
前記の目的を達成するため、アルカリイオン整水器にケーシング体を設け、該ケーシング体内部に濾過タンクを取付け、該濾過タンクは電解殺菌タンクに接続し、電解殺菌タンクは電解タンクに接続する。ケーシング体外部に、濾過、殺菌及びアルカリイオン化処理後の水を排出するための排水管を取付ける。さらに、電解タンクと出水管との間に流量装置を設け、ケ―シング体に制御装置を設けて、利用者は制御装置により、流量装置を制御し、出水管の排出水量を利用者の需要に対応できる。
【考案を実施するための最良の形態】
【０００５】
図１をご参照ください。図から明らかなように、本考案はアルカリイオン整水器にケーシング体１を設け、ケーシング体１に濾過タンク１１を設け、該濾過タンク１１はさらに電解殺菌タンク１２に接続し、該濾過タンク１１と該電解殺菌タンク１２との間に電磁弁１１１を設け、電解殺菌タンク１２は電解タンク１３に接続し、ケーシング体１の外部に濾過、殺菌及びアルカリイオン化処理後の水を排出するための出水管１４を設け、かつ、出水管１４と電解タンク１３との間に流量装置２を設け、該ケーシング体１に制御装置３を設け、該制御装置３は電磁弁１１１と、流量装置２とを電気接続する。
【０００６】
それらにより、利用者はアルカリイオン整水器を使用するときに、該アルカリイオン整水器により、市水を濾過タンク１１に導入し、該濾過タンク１１より多重濾過処理を行い、市水を純浄水に置き換えて、この純浄水を電解殺菌タンク１２に送り、電解殺菌タンク１２の電解分解処理により、初期酸素を作り出す。水中菌に殺菌処理を行った後、殺菌処理後の水を電解タンク１３に送り、電解タンク１３により水中の有害物質を分離する。一方、電解タンク１３内蔵の正電極は硫黄、塩素、マイナスイオンなどの酸性電解物質を、負電極はカルシウム、カリウム、ナトリウム、マグネシウムなどの陽イオンをそれぞれに引きつけることにより、電解タンク１３によって電解処理後の水は、健康維持の効果を有する。
【０００７】
さらに、該流量装置２は、時間単位の流量装置２の流動水量を制御できる。利用者はアルカリイオン整水器を使用するとき、制御装置３にて出水管１４の出水量又は出水時間を設定して置き、制御装置３により電磁弁１１１を制御して、濾過タンク１２から純浄水を電解殺菌タンク１２、電解タンク１３、流量装置２へそれぞれ仕送り、出水管１４から出水する。一方、流量装置２は引き続きに、流量装置２を通過する水量信号を制御装置３に送信することにより、制御装置３は利用者の設定時間又は水量になったときに、電磁弁１１１を閉めることになり、濾過タンクから電解殺菌タンク１２に水が送れないため、出水管１４からの出水が中止し、出水管１４から流出する水量は利用者の需要に応えることができる。
【０００８】
なお、該制御装置３は機械方式、タッチ方式又は押しボタン方式の制御装置のいずれであっても良い。それに伴い、該アルカリイオン整水器は、出水管１４外部に磁気化装置１４１を設けることにより、濾過、殺菌及び電解処理後の水を出水管１４から排出するとき、該磁気化装置１４１の磁場により、水から解離可能なミネラル物質を分離させ、浸透力大の小さな分子群を生成し、水中ミネラル物質のイオン化を促進し、その水が動植物の細胞にしみ込み、栄養分と細胞とを同化する。
【図面の簡単な説明】
【０００９】
【図１】本考案の好ましい実施例の概略図である。
【符号の説明】
【００１０】
１      ケーシング体
１１    濾過タンク
１２    電解殺菌タンク
１３    電解タンク
１４    出水管
１４１  磁気化装置
２      流量装置
３      制御装置
【図１】
0003147489.tif 000003
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
アルカリイオン整水器に取付けると共に、利用者による出水量制御可能な流量制御装置であって、
前記アルカリイオン整水器に設けられるケーシング体と、
前記ケーシング体内部に設けられ、水の不純物を濾過する濾過タンクと、
前記濾過タンクに設けられ、水を殺菌する電解殺菌タンクと、
前記電解殺菌タンクに接続され、水を酸アルカリ電解する電解タンクと、
前記ケーシング体外部に設けられ、濾過、殺菌及び電解処理後の水を排出する出水管と、
前記ケーシング体内部に設けられ、水流量を計量する流量装置と、
前記ケーシング体にさらに設けられる制御装置と、により構成され、
前記流量装置は前記電解タンクと前記出水管にそれぞれ接続し、前記制御装置は前記流量装置と電気的に接続すると共に、利用者が前記制御装置を介して前記流量装置を制御することにより、前記出水管の出水量を利用者の需要に応えることができることを特徴とする、流量制御装置。
【請求項２】
前記制御装置は、機械方式、タッチ方式又は押しボタン方式のいずれか１方式を介して前記流量装置と電磁弁とを電気的に接続して構成したことを特徴とする、請求項１に記載の流量制御装置。
【請求項３】
前記出水管の外部には、磁気化装置をさらに設けることを特徴とする、請求項１又は請求項２に記載の流量制御装置。